(57)【要約】【課題】  スキャナ等の画像読取装置、ＣＤ−Ｒ／ＤＶＤ−Ｒ等の記録メディアのラベル面に直接印刷可能な機構を備えた記録装置において、ユーザがラベル面に印刷したい画像や記録メディアのラベル面を、ユーザの手を煩わすことなく、用意した記録メディアのラベル面や記録用紙の所定の位置に、簡単に印刷することができる記録装置を提供することを目的とするものである。【解決手段】  画像読取装置が生成したデータを、直接、記録媒体上に記録し、任意の画像または光学式記録メディアのラベル面の画像を自動的に抽出し、光学式記録メディアのラベル面に、複写記録する手段を有する記録装置である。【選択図】  図１
2006168025.tif 000002
【特許請求の範囲】
【請求項１】
ホスト装置または周辺デバイスと接続され、データの送受信を行うインタフェースと、受信データとプリントデータとを格納するメモリと、上記プリントデータの生成、記録ヘッド制御と記録装置の駆動制御とを行う記録装置制御部と、記録ヘッドを備えている記録機構と、記録装置を駆動する駆動手段と、プリント情報を任意に設定可能な操作パネルを備えている操作制御部と、画像読取制御、画像抽出制御、画像データ生成を行う画像読取装置制御部と、読み取りヘッドを備えているヘッド制御部と、画像読取装置を駆動する駆動手段と、光学式記録メディアのラベル面に画像を直接記録可能な制御手段と、接続される周辺デバイスに電源電圧を供給する機構とを具備する記録装置において、
画像読取装置が生成したデータを、直接、記録媒体上に記録し、任意の画像または光学式記録メディアのラベル面の画像を自動的に抽出し、光学式記録メディアのラベル面に、複写記録する手段を有することを特徴とする記録装置。
【請求項２】
請求項１において、
ホスト装置の介入なしに設置されている画像読取装置によって入力されたデータを受信し、画像処理、データ生成、記録動作の一連動作を、自動的に行うダイレクトプリント機能を有することを特徴とする記録装置。
【請求項３】
請求項２において、
画像読取装置上の画像を、読み取り、複写先の記録媒体に適応した形状に、抽出、加工、編集を行い、データ生成することを特徴とする記録装置。
【請求項４】
請求項３において、
ホスト装置の介入なしに、ユーザが操作パネルから任意に設定したノイズ除去、スムージング、拡大縮小、カラーマッチングの加工、編集等の項目を、読み取った画像データに対して処理し、また、データ生成する手段を有することを特徴とする記録装置。
【請求項５】
請求項４において、
画像を読み取る際に、複写元画像を抽出する場合、キャリアシートを利用した位置検出方法、パターンマッチングを利用した検出方法によって、抽出することを特徴とする記録装置。
【請求項６】
請求項５において、
複写元画像の複写記録先として、光学式記録ディスクのみならず、粘着シート付貼り付け記録用紙に対して、記録位置を任意に設定し、また、内部記憶装置から各記録用紙設定項目を呼び出し、記録動作の制御が可能な手段を有することを特徴とする記録装置。
【請求項７】
ホスト装置または周辺デバイスと接続され、データの送受信を行うインタフェースと、受信データとプリントデータとを格納するメモリと、上記プリントデータの生成、記録ヘッド制御と記録装置の駆動制御とを行う記録装置制御部と、記録ヘッドを備えている記録機構と、記録装置を駆動する駆動手段と、プリント情報を任意に設定可能な操作パネルを備えている操作制御部と、画像読取制御、画像抽出制御、画像データ生成を行う画像読取装置制御部と、読み取りヘッドを備えているヘッド制御部と、画像読取装置を駆動する駆動手段と、光学式記録メディアのラベル面に画像を直接記録可能な制御手段と、接続される周辺デバイスに電源電圧を供給する機構とを具備する記録装置の制御方法において、
画像読取装置が生成したデータを、直接、記録媒体上に記録し、任意の画像または光学式記録メディアのラベル面の画像を自動的に抽出し、光学式記録メディアのラベル面に、複写記録する工程を有することを特徴とする記録装置の制御方法。
【請求項８】
請求項７において、
ホスト装置の介入なしに設置されている画像読取装置によって入力されたデータを受信し、画像処理、データ生成、記録動作の一連動作を、自動的に行うダイレクトプリント機能を有することを特徴とする記録装置の制御方法。
【請求項９】
請求項８において、
画像読取装置上の画像を、読み取り、複写先の記録媒体に適応した形状に、抽出、加工、編集を行い、データ生成することを特徴とする記録装置の制御方法。
【請求項１０】
請求項９において、
ホスト装置の介入なしに、ユーザが操作パネルから任意に設定したノイズ除去、スムージング、拡大縮小、カラーマッチングの加工、編集等の項目を、読み取った画像データに対して処理し、また、データ生成する工程を有することを特徴とする記録装置の制御方法。
【請求項１１】
請求項１０において、
画像を読み取る際に、複写元画像を抽出する場合、キャリアシートを利用した位置検出方法、パターンマッチングを利用した検出方法によって、抽出することを特徴とする記録装置の制御方法。
【請求項１２】
請求項１１において、
複写元画像の複写記録先として、光学式記録ディスクのみならず、粘着シート付貼り付け記録用紙に対して、記録位置を任意に設定し、また、内部記憶装置から各記録用紙設定項目を呼び出し、記録動作の制御が可能な工程を有することを特徴とする記録装置の制御方法。
【発明の詳細な説明】
【技術分野】
【０００１】
本発明は、記録装置に係り、特に、被記録媒体にインク滴を吐出して画像を形成するインクジェット方式の記録装置およびその制御方法に関する。
【背景技術】
【０００２】
近年、パーソナルコンピュータの性能向上や、ＣＤ、ＤＶＤ技術の進歩によって一般的なユーザでもさまざまな形式のデータを記録書き換え型ＣＤ／ＤＶＤメディア上にデジタル記録できるようになった。
【０００３】
たとえば、市販の音楽ＣＤ等から、所望の音楽データをコンピュータに一時保存し、他の音楽データや通常のデータ等と一緒に、記録書き換え型ＣＤに書き込むことによって、ユーザオリジナルのＣＤを作成することができる。
【０００４】
これは、あくまでも個人的な利用を前提としているが、ＭＰ３、ＭＰＥＧ４等の音声画像圧縮技術の急速な進歩と記録メディアの低価格化も後押しし、急速に浸透しつつある。またオリジナルＣＤ／ＤＶＤをさらに楽しむために、タイトルや画像を印刷し、ラベル面に貼り付けるラベルシールや、ラベル面に特殊なコート処理を施し、インクジェットプリンタで直接印刷できるメディアも多数、市販されている。これらの技術発展の背景には、インクジェットプリンタやデジタルカメラの高性能化、ブロードバンド通信の普及によるデータ量の増大も深く寄与している。
【０００５】
また、印字状態でのラベルの位置決め設定操作を、精度良く容易に行え、また、ラベルのプリンタ側へ１枚づつ容易に搬送することができるラベルプリンタシステムが知られている（たとえば、特許文献１参照）。
【０００６】
さらに、帯電させた感光ドラムの表面にレーザビームで潜像を形成し、トナー現像器によって、潜像部にトナーを付着させてトナー像として画像を顕在化させ、該トナー像を転写ドラムに転写し、この工程を各色について、繰り返して転写ドラム上にフルカラーのトナー像を形成し、該転写ドラム上のトナー像を光学ディスク７に転写することが知られている（たとえば、特許文献２参照）。
【特許文献１】特開平１０−１０１０５０号公報
【特許文献２】特開平０５−２１２８５７号公報
【発明の開示】
【発明が解決しようとする課題】
【０００７】
メディアの配布が簡単かつ日常的になると、家族、友人、知人等からもらったＣＤ−Ｒ／ＤＶＤ−Ｒ等の記録メディアのデータを整理し、オリジナルのデータ集として新たに別のメディアに１つにまとめておく機会が増え、また、メディアの内容をまるごとバックアップし、個人の保存用や別の友人への再配布用として、メディアを作成する機会も増える。
【０００８】
このときに、自分で作成したメディアのラベル面を、好きな写真や雑誌等の画像にする場合があり、また、もらったメディアのラベル面が綺麗で凝っている等の理由から、そのラベル面と同じ画像を、自分で用意したメディアのラベル面に、印刷したいと思う場合がある。
【０００９】
通常、この作業を行うには、スキャナ等の画像入力装置によって、ＣＤ−Ｒ／ＤＶＤ−Ｒのラベル面や、雑誌等の任意の場所を読み取り、パーソナルコンピュータ等の処理装置に転送し、上記処理装置において、動作するラベル印刷を目的とするアプリケーションソフトを使って、用意した画像がラベル面の所望の位置に印刷されるように、位置調整等を行い、プリンタ等の記録装置に合った形式の適切な画像ファイルに加工を施し、その後に、ラベルシールまたはＣＤ−Ｒ／ＤＶＤ−Ｒのラベル面に印刷する。
【００１０】
しかし、上記作業を実行する場合、ユーザがコンピュータ上で作業する必要があり、また、スキャナ、プリンタ等の周辺機器を操作する必要があるので、オリジナルのメディアを作成する機会が多いユーザにとっては、手軽な作業ではないという問題がある。
【００１１】
また、通常のプリンタ機能の他に、ＦＡＸ機能、スキャナ機能、ＣＤ−Ｒ／ＤＶＤ−Ｒ等の記録メディアのラベル面に行う直接印刷機能等を搭載しているいわゆるマルチファンクションプリンタが既に市販されているが、機器単体で使用する際には、読み取った画像をそのまま定形普通紙や特殊コート紙等の記録用紙に印刷するといういわゆるコピー機能や、データを外部記録媒体に格納する機能しか搭載していない。
【００１２】
本発明は、スキャナ等の画像読取装置、ＣＤ−Ｒ／ＤＶＤ−Ｒ等の記録メディアのラベル面に直接印刷可能な機構を備えた記録装置において、ユーザがラベル面に印刷したい画像や記録メディアのラベル面を、ユーザの手を煩わすことなく、用意した記録メディアのラベル面や記録用紙の所定の位置に、簡単に印刷することができる記録装置およびその制御方法を提供することを目的とするものである。
【課題を解決するための手段】
【００１３】
本発明は、画像読取装置が生成したデータを、直接、記録媒体上に記録し、任意の画像または光学式記録メディアのラベル面の画像を自動的に抽出し、光学式記録メディアのラベル面に、複写記録する手段を有する記録装置である。
【発明の効果】
【００１４】
本発明によれば、スキャナ等の画像読取装置、ＣＤ−Ｒ／ＤＶＤ−Ｒ等の記録メディアのラベル面に直接印刷可能な機構を備えた記録装置において、ホストコンピュータと接続して一旦、データを吸い上げるので、読み取った画像の加工、編集、印刷する際の位置あわせ、その他煩わしい作業を実行しなくても、ユーザがラベル面に印刷したい画像や記録メディアのラベル面の画像を、用意した記録メディアのラベル面や記録用紙の所定の位置に、簡単に印刷することができるという効果を奏する。
【発明を実施するための最良の形態】
【００１５】
発明を実施するための最良の形態は、次の実施例である。
【実施例１】
【００１６】
図１は、本発明の実施例１である画像読取機構付記録装置Ｐ１を使用したシステムの構成を示す斜視図である。
【００１７】
画像読取機構付記録装置Ｐ１は、原稿台２と、操作パネル３と、メディアトレイ４と、トレイガイド５と、原稿蓋６とを有する。
【００１８】
操作パネル３は、ユーザが設定等を行う操作パネルである。メディアトレイ４は、印刷可能なラベル面を持つＣＤ／ＤＶＤ等を印刷するためにメディアを載せて搬送する。トレイガイド５は、メディアトレイ４の搬送をガイドし、排紙口付近にセット可能である。原稿蓋６は、原稿読み取り時に外来光の進入を防ぐ。
【００１９】
図２は、記録装置Ｐ１の概略構成例を示すブロック図である。
【００２０】
記録装置Ｐ１は、プリンタ部１０と、スキャナ部２０とを有する。
【００２１】
プリンタ部１０は、ＣＰＵ１１と、ＲＯＭ１２と、ＲＡＭ１３と、インタフェース１４と、ＡＳＩＣ形態の記録装置制御部１５と、記録ヘッド１６と、キャリッジモータ１７と、搬送モータ１８と、操作パネル３とを有する。
【００２２】
ＲＯＭ１２は、ＣＰＵ１１が実行する制御プログラムとその他のテーブルデータ等を格納している。
【００２３】
ＲＡＭ１３は、ホストコンピュータや周辺デバイス（不図示）からインタフェース１４を介して受信したデータを格納する受信バッファと、後述のプリントデータ生成部１５３が生成したプリントデータを格納するプリントバッファ等の領域として用いられる。
【００２４】
ＡＳＩＣ形態の記録装置制御部１５は、Ｉ／Ｆ制御部１５１と、データ制御部１５２と、プリントデータ生成部１５３と、駆動制御部１５４と、ヘッド制御部１５５と、キー操作制御部１５６とを有する。
【００２５】
Ｉ／Ｆ制御部１５１は、インタフェース１４を介して、ホストコンピュータや周辺デバイスと、内部接続されたスキャナ部２０との間で、データを送受信する。
【００２６】
データ制御部１５２は、ＲＡＭ１３内の受信バッファとプリントバッファとに対して、データをリード／ライト制御する。
【００２７】
プリントデータ生成部１５３は、プリントデータを生成する。
【００２８】
駆動制御部１５４は、被記録媒体の給排紙を行う搬送モータ１８の駆動を制御する。
【００２９】
ヘッド制御部１５５は、生成されたプリントデータを記録ヘッド１６へ行うデータ転送や、記録ヘッド１６におけるインクの吐出制御を行う。
【００３０】
キー操作制御部１５６は、電源スイッチ、レジュームスイッチ、「イージーメディアプリント」を開始するスタートボタン等を具備し、設定等を行う操作パネル３等を制御する。
【００３１】
キャリッジモータ１７は、記録ヘッド１６を搭載したキャリッジを走査させる。
【００３２】
スキャナ部２０は、ＣＰＵ２１と、ＲＯＭ２２と、ＲＡＭ２３と、ＡＳＩＣ形態の画像読取装置制御部２４と、読取ヘッド２７と、走査モータ２８とを有する。
【００３３】
ＲＯＭ２２は、ＣＰＵ２１が実行する制御プログラム等を格納する。
【００３４】
ＲＡＭ２３は、読み取った画像データを格納し、データ生成部２６２が画像データの加工、編集等を行うためのバッファ領域であり、各種設定パラメータを一時保存する。
【００３５】
ＡＳＩＣ形態の画像読取装置制御部２４は、Ｉ／Ｆ制御部２５と、画像読取部２６とを有する。
【００３６】
Ｉ／Ｆ制御部２５は、インタフェース１４を介して、ホストコンピュータや内部接続されたプリンタ部とのデータの送受信を行う。
【００３７】
画像読取部２６は、データ制御部２６１と、データ生成部２６２と、ヘッド制御部２６３と、駆動制御部２６４とを有する。
【００３８】
データ制御部２６１は、ＲＡＭ２３内のバッファに対して、データをリード／ライト制御する。
【００３９】
データ生成部２６２は、画像データをメディアに最適化加工、編集する。
【００４０】
ヘッド制御部２６３は、画像を光学的に読み取るヘッド２７を制御する。
【００４１】
駆動制御部２６４は、ヘッド２７を移動させる走査モータ２８を制御する。
【００４２】
次に、記録装置Ｐ１において、画像読み取りからプリントするまでの動作について説明する。
【００４３】
まず、記録装置Ｐ１において、トレイガイド５をセットし、メディアトレイ４上に複写先となるラベル印刷可能なメディアをセットする。メディアトレイ４を、トレイガイド５に沿って、既定の位置まで挿入し、これによって、複写先の準備が完了する。
【００４４】
次に、原稿台２の上に、複写元となるメディアを載せ、原稿蓋６を閉じると、複写元の準備が完了する。
【００４５】
ユーザが、操作パネル３に設けられているボタンを操作すること等によって、実施例１の目的である「イージーラベルダイレクトプリント」の実行命令が、キー操作制御部１５６に発行されると、プリンタ部１０のＩ／Ｆ制御部１５１と、スキャナ部２０のＩ／Ｆ制御部２５とを介して、スキャナ部２０のＡＳＩＣ画像読取制御部２４に設けられている画像読取部２６との間で、通信が行われ、駆動制御部２６４が、走査モータ２８を制御し、読取ヘッド２７を走査しながら、ヘッド制御部２６３が光学的に読み取ったデータをＡ／Ｄ変換等し、これによって、原稿台２の画像読み取りを行う。
【００４６】
この際、必要とする画像は、後述する図３に示す画像読み取り対象枠内に存在しているが、この範囲内のみをデータ化する方法は、パターンマッチング等の公知の技術によって比較的簡単に実現されるので、詳述はしない。
【００４７】
画像読み取りが開始されると、ＡＳＩＣ２４内のデータ制御部２６１が、ＲＡＭ２３内に割り当てられている受信バッファに、画像データを一旦、格納する。上記受信バッファに格納された画像データは、ユーザの設定に応じて、データ生成部２６２が、ノイズ除去、スムージング、拡大縮小、カラーマッチング等の加工、編集を行うこともあるが、ＲＡＭ２３内に割り当てられている送信バッファに蓄えられる。
【００４８】
上記送信バッファに必要量のデータが蓄えられると、この蓄えられたデータを、Ｉ／Ｆ制御部２５が、プリンタ部１０のＩ／Ｆ制御部１５１に送信する。これと同時に、プリンタ部１０における駆動制御部１５４が、搬送モータ１８等を駆動し、印字可能位置までメディアトレイ４を移動し、図示しないキャリッジ等に設置されているセンサが、メディアトレイ４に載せられているメディア形状の判断や、印字領域の記憶等、プラテン印字等の誤印字を防止するための検証を行う。このときに、原稿台２上に載置されている所望の画像サイズと、メディアトレイ４上のメディアのサイズとが一致しない場合、注意を促す構成を採用するようにしてもよい。
【００４９】
スキャナ部２０が画像読み取りを終わると、データ制御部１５２が、画像データを、プリンタ部１０のＡＳＩＣ１５内のＩ／Ｆ制御部１５１から、ＲＡＭ１３内に割り当てられた受信バッファに送り、その受信データを一旦、格納する。受信バッファに格納された受信データは、コマンド解析され、実際の画像データについて、プリントデータ生成部１５３が、プリントデータ処理を行い、ＲＡＭ１３内に割り当てられたプリントバッファに蓄える。
【００５０】
上記プリントバッファに、必要量のデータが蓄えられると、ヘッド制御部１５５が、所定のタイミングで、プリントバッファからプリントデータを読み出し、記録ヘッド１６に転送する。
【００５１】
さらに、主走査の過程で、ヘッド制御部１５５が、記録ヘッド１６に対して駆動パルスを与え、実際のプリント動作を行い、画像が形成される。駆動制御部１５４が、キャリッジモータ１７と搬送モータ１８とを駆動することによって、記録ヘッド１６の走査と被記録媒体の搬送とが実行される。
【００５２】
図３は、実施例１において、メディアのラベルから、画像を直接抽出する場合に、読み込む画像の範囲を決定するために、パターンマッチングを用いた画像検出手段を利用する方法を示す図である。
【００５３】
ユーザは、複製元となるラベル画像抽出元メディア３１を、原稿台２の上に反転させて載せ、原稿台蓋６を閉じる。複写動作を開始すると、公知のパターンマッチング方法によって、無抽出部分３２以外が、画像生成部分３３として認識され、上記一連の読み取り、プリント動作を行い、これらの動作が完了すると、複写先メディア３４を載せたメディアトレイ４が排出される。このようにして、複写先ラベル面に所望の画像が印刷されたメディアを得ることができる。
【００５４】
図４は、実施例１において、雑誌等の切り抜き等から画像を抽出する場合に、読み込む画像の範囲を決定するために、キャリアシートを用いた画像検出手段を利用する方法を示す図である。
【００５５】
画像複製先記録メディアとして、１２ｃｍサイズＣＤ／ＤＶＤを想定している。
【００５６】
キャリアシート４１は、薄板状の材料が２枚重ねられたものであり、画像読取原稿台２に適合する大きさで作られている。このような構成にすれば、画像抽出位置が予め決定されるので、検出が容易である。また、上記２枚の薄板状材料のうちの１枚には、画像読取対象枠４２として、直径１２ｃｍの円が切り抜かれている。
【００５７】
円状の開口部分は、透明度の高い材料を、裏から貼り合わせたように構成してもよい。ユーザは、ラベル面に複写することを望む抽出元画像４３を用意し、所望の部分が、画像読取対象枠４２から露出するように、キャリアシート４１に挟み込み、セット状態４４とする。
【００５８】
また、キャリアシート４１を、原稿台２に反転して載せ、原稿台蓋６を閉じる。複写動作を開始すると、画像読取対象枠４２から露出している部分が、画像生成部分４５として認識され、上記一連の読み取り、プリント動作を行い、これらの動作が完了すると、複写先メディア４６を載せたメディアトレイ４が排出される。
【００５９】
上記のようにして、複写先ラベル面に所望の画像が印刷されたメディアを得ることができる。
【００６０】
また、市販されている記録メデイアに合わせて、８ｃｍＣＤ／ＤＶＤ用キャリアシート４７、名刺サイズＣＤ／ＤＶＤ用キャリアシート４８等を使用して、上記と同様の結果を得ることができる。
【００６１】
また、記録メディアへのダイレクトプリント機能が、記録装置Ｐ１に備えられていない場合、市販のラベルシールを利用することが考えられるが、たとえば、図２に示すＲＯＭ１２等に、ラベルシールの印字位置を決定するパラメータ等を記憶し、操作パネル３から設定を呼び出して、対応できるようにし、通常の給紙口にラベルシールをセットし、開始ボタンを押すと、上記と同様に、所望の画像が印刷されたラベルシールを得ることができる構成にしてもよい。
【００６２】
このように構成することによって、ユーザは、メディアと画像とを用意し、ボタンを１回押す等すれば、ホストコンピュータの操作や煩わしい作業をしなくても、所望の画像が自動的にラベル面に記録された記録メディアを得ることができる。
【００６３】
図５は、実施例１における動作を示すフローチャートである。
【００６４】
イージーラベルダイレクトプリントを開始するために、まず、トレイガイド５をセットし（５０１）、メディアトレイ４に複写先メディアをセットし（５０２）、トレイガイド５に、メディアトレイ４をセットする（５０３）。
【００６５】
これと同時に、複写元になる画像の抽出方法を選択する（５０４）。この場合、キャリアシートを使う（５０５）か、記録メディアをそのまま抽出する（５０６）。キャリアシートを使う場合、キャリアシートに画像を挿み（５０７）、原稿台２にセットする（５０８）。ここで、プリンタ部１０に設置されている操作パネル３等を介して、スキャナ部２０が画像を取り込み、画像データに変換する際の取り込み解像度、メディアの種類、メーカー、印字モード、被記録用紙の種類、プリント枚数等、各種設定を行う（５０９、５１０）。
【００６６】
スタートボタン等を押し、イージーラベルダイレクトを開始する（５１１）。
【００６７】
原稿台２上の画像をスキャンする動作を開始し、必要な範囲の画像を抽出し（５１２）、画像データを作成する（５１３）。設定に従い、画像データの加工や編集を行う（５１４）。これと同時に、複写先のメディア形状、印字領域を、センサで検知し、適用メディアであるかどうかを判断する（５１５、５１６、５１７）。適用できるのであれば、画像データと比較し、印刷可能であるかどうかを判定する（５１９、５２０、５２５）。画像と印字領域とについて、互換性が認められると（５２０）、メディアトレイ４を、印字部分まで移動し（５２１）、プリントを開始する（５２２）。
【００６８】
プリント動作（５２３）が終わると、メディアトレイ４を排出し（５２４）、終了する。メディアが適応外である場合（５１８）、互換性がないと判断された場合（５２５）、警告を出し（５２６）、ユーザに、続行するかどうかを判断させる（５２７）。続行しない場合は、終了する。
【図面の簡単な説明】
【００６９】
【図１】本発明の実施例１である画像読取機構付記録装置Ｐ１を使用したシステムの構成を示す斜視図である。
【図２】記録装置Ｐ１の概略構成例を示すブロック図である。
【図３】実施例１において、メディアのラベルから、画像を直接抽出する場合に、読み込む画像の範囲を決定するために、パターンマッチングを用いた画像検出手段を利用する方法を示す図である。
【図４】実施例１において、雑誌等の切り抜き等から画像を抽出する場合に、読み込む画像の範囲を決定するために、キャリアシートを用いた画像検出手段を利用する方法を示す図である。
【図５】実施例１における動作を示すフローチャートである。
【符号の説明】
【００７０】
Ｐ１…画像読取機構付記録装置、
２…原稿台、
３…操作パネル、
４…メディアトレイ、
５…トレイガイド、
６…原稿蓋、
１０…プリンタ部、
１１…ＣＰＵ、
１２…ＲＯＭ、
１３…ＲＡＭ、
１４…インタフェース、
１５…ＡＳＩＣ形態の記録装置制御部、
１６…記録ヘッド、
１７…キャリッジモータ、
１８…搬送モータ、
２０…スキャナ部、
２１…ＣＰＵ、
２２…ＲＯＭ、
２３…ＲＡＭ、
２４…ＡＳＩＣ形態の画像読取装置制御部、
２７…読取ヘッド、
２８…走査モータ。
【図１】
2006168025.tif 000003
【図２】
2006168025.tif 000004
【図３】
2006168025.tif 000005
【図４】
2006168025.tif 000006
【図５】
2006168025.tif 000007